(57)【特許請求の範囲】
【請求項１】
番組の一覧を示す番組表を生成し、生成した上記番組表を表示部に表示する番組表生成装置であって、
同一の時間帯に複数のチャンネルで放送される同一の番組である特定番組を識別する識別手段と、
上記番組表において、上記特定番組に関する情報の表示形態を、その他の番組に関する情報の表示形態とは異ならせる表示形態制御手段と、
を備え、
上記表示形態制御手段は、上記複数のチャンネルの各々を識別するための識別情報を、少なくとも１つ、上記番組表に記載し、
上記識別手段は、上記特定番組に相当する、上記複数のチャンネルのそれぞれに設定されている番組の中から、他のチャンネルで放送される番組として参照されている被参照番組を特定し、
さらに、上記表示形態制御手段は、上記被参照番組に、上記識別情報を対応づけることを特徴とする番組表生成装置。
【請求項２】
番組の一覧を示す番組表を生成し、生成した上記番組表を表示部に表示する番組表生成装置であって、
同一の時間帯に複数のチャンネルで放送される同一の番組である特定番組を識別する識別手段と、
上記番組表において、上記特定番組に関する情報の表示形態を、その他の番組に関する情報の表示形態とは異ならせる表示形態制御手段と、
を備え、
上記表示形態制御手段は、上記複数のチャンネルの各々において、現在放送されている番組から数えて何番目に上記特定番組が放送されるかを示す情報を、上記番組表に記載することを特徴とする番組表生成装置。
【請求項３】
上記表示形態制御手段は、上記複数のチャンネルの各々を識別するための識別情報を、少なくとも１つ、上記番組表に記載することを特徴とする請求項２に記載の番組表生成装置。
【請求項４】
上記識別手段は、上記特定番組に相当する、上記複数のチャンネルのそれぞれに設定されている番組の中から、他のチャンネルで放送される番組として参照されている被参照番組を特定し、
上記表示形態制御手段は、上記被参照番組に、上記識別情報を対応づけることを特徴とする請求項３に記載の番組表生成装置。
【請求項５】
上記表示形態制御手段は、上記番組表の表示形態を、上記特定番組を放送するチャンネルとして、上記複数のチャンネルのうちの一部の上記識別情報を示す第１の表示形態と、上記複数のチャンネルの他の一部または全ての上記識別情報を示す第２の表示形態との間で切り替えることを特徴とする請求項１または４に記載の番組表生成装置。
【発明の詳細な説明】
【技術分野】
【０００１】
本発明は、番組の一覧を示す番組表を生成する番組表生成装置に関する。
【背景技術】
【０００２】
現在、デジタル放送等のＴＶ番組（以下、番組と略称する）はマルチ編成で放送されており、各放送局には、メインチャンネルおよびサブチャンネルからなる複数のチャンネル（例えば、３つのチャンネル）が割り当てられている。放送局は、１つ以上の番組を、メインチャンネルおよびサブチャンネルで放送することができる。
【０００３】
（イベント共有）
放送局は、複数のチャンネルで、同じ時間帯に、同じ番組（イベント）を放送することができる。このような番組は、イベント共有番組と呼ばれる。イベント共有番組が放送される複数のチャンネルのうち、１つのチャンネル（参照先；「親」チャンネル）は、イベント共有番組の番組データであるＥＩＴ（Event Information Table）を受信する。一方、残りのチャンネル（参照元；「子」チャンネル）が受信するＥＩＴには、「親」チャンネルに関する情報が参照先として記述されている。「子」チャンネルは、「親」チャンネルのＥＩＴを参照することによって、イベント共有番組のＥＩＴを取得する。
【０００４】
図２０を用いて、イベント共有番組の例を説明する。図２０は、各放送局の各チャンネルで放送される番組の放送スケジュールが記載された２次元番組表Ｍを示す図である。
【０００５】
図２０に示す２次元番組表Ｍでは、２０：００〜２１：００の間、放送局４の０４１および０４２チャンネルにおいて、番組０４１２０が放送される。従って、番組０４１２０はイベント共有番組である。また、２１：００〜２２：００の間、放送局２の０２１〜０２３チャンネルにおいて、番組０２１２１が放送される。従って、番組０２１２１もイベント共有番組である。一方、１４：００〜１５：００の間、放送局２の０２１〜０２３チャンネルでは、それぞれ異なる番組が放送される。従って、１４：００〜１５：００の間、０２１〜０２３チャンネルで放送される各番組は、いずれもイベント共有番組ではない。
【０００６】
（次番組表）
あるチャンネルで現在放送されている番組の次に放送される番組を、次番組と呼ぶ。また、各チャンネルの次番組の番組情報が記載された番組表を、次番組表と呼ぶ。次番組表では、次番組の番組欄が１列に配置される。そのため、次番組表は、一般的に、番組欄がマトリクス状に配置される２次元番組表Ｍ（図２０参照）よりも小さいという利点を有する。
【０００７】
図２１の（ａ）（ｂ）は、従来の次番組表Ｔｘ、Ｔｙを示す図である。図２１の（ａ）（ｂ）に示す次番組表Ｔｘ、Ｔｙでは、１列に配置された番組欄に、各チャンネルで次に放送される次番組が記載されている。ここで、番組の放送スケジュールは、２次元番組表Ｍ（図２０参照）に示すように決定されており、かつ、現在の時刻は、１４：３０であると仮定する。
【０００８】
図２１の（ａ）に示す次番組表Ｔｘにおいて、イベント共有番組の欄には、そのイベント共有番組が放送されるチャンネルのうち、１つのチャンネルのチャンネル番号のみが表示されている。例えば、次番組表Ｔｘにおいて、番組０１１２１の欄には、この番組０１１２１が放送される０１１〜０１３チャンネルのチャンネル番号のうち、「親」チャンネルである「０１１ｃｈ」のみが記載されている。
【０００９】
また、図２１の（ｂ）に示す次番組表Ｔｙでは、イベント共有番組の欄には、そのイベント共有番組が放送される全てのチャンネルのチャンネル番号が表示されている。例えば、次番組表Ｔｙにおいて、イベント共有番組である番組０１１２１の番組欄には、この番組０１１２１が放送される３つのチャンネルのチャンネル番号「０１１、０１２、０１３ｃｈ」が記載されている。なお、特許文献１には、次番組表Ｔｙのように、イベント共有番組の欄に、そのイベント共有番組が放送される全てのチャンネルが表示された次番組表が記載されている。
【先行技術文献】
【特許文献】
【００１０】
【特許文献１】特開２００７−１３５６２号公報（２００７年１月１８日公開）
【発明の概要】
【発明が解決しようとする課題】
【００１１】
図２１の（ａ）に示す次番組表Ｔｘでは、イベント共有番組の欄と、イベント共有番組ではない次番組の欄との間で、番組欄に差異がない。イベント共有番組は複数のチャンネルで構成されており、イベント共有番組でない番組よりも高画質である。しかしながら、ユーザは、次番組表Ｔｘを見たとしても、どの次番組がイベント共有番組であるのかを認識することができない。
【００１２】
加えて、ユーザが、次番組表Ｔｘに対して、あるイベント共有番組（例えば、番組０２１２１）を視聴するための操作を行った場合、番組表生成装置は、一般的に、放送局２のメインチャンネルでもある「親」チャンネル（例えば、０２１ｃｈ）を選局（または、視聴予約または録画予約）する。ここで、次番組表Ｔｘに「子」チャンネル（例えば、０２２ｃｈ）のみが含まれる場合もある。ところが、前述のとおり、ユーザは、次番組表Ｔｘを見ても、どの次番組がイベント共有番組であるのかを認識することができないので、次番組表Ｔｘに含まれる「子」チャンネルとは異なる「親」チャンネルで、「子」チャンネルで放送されるイベント共有番組と同じ番組が放送されることを知ることはできない。そのため、ユーザが「子」チャンネルを選局（または、視聴予約または録画予約）したにもかかわらず、番組表生成装置が「親」チャンネルを選局した場合、視聴したいイベント共有番組ではない番組が放送されるチャンネルが選局されたと、ユーザに誤解される可能性がある。
【００１３】
図２１の（ｂ）に示す次番組表Ｔｙでは、イベント共有番組の欄には、複数のチャンネル番号が記載されている一方、イベント共有番組ではない次番組の欄には、１つのチャンネル番号が記載されている。そのため、ユーザは、次番組表Ｔｙを見たとき、どの次番組がイベント共有番組であるのかを理解することができる。
【００１４】
しかしながら、次番組表Ｔｙでは、イベント共有番組の欄に、そのイベント共有番組が放送される全てのチャンネルのチャンネル番号が記載される。そのため、次番組表Ｔｙには、狭いスペースに表示することが困難であるという問題がある。つまり、図２１の（ｂ）に示す次番組表Ｔｙでは、２次元番組表Ｍ（図２０参照）よりも小さいという１次元番組表の利点が失われる可能性がある。
【００１５】
本発明は、上記に鑑みてなされたものであり、その目的は、番組表において、イベント共有番組の表示形態がそれ以外の番組の表示形態から区別される番組表生成装置を提供することにある。
【課題を解決するための手段】
【００１６】
上記の課題を解決するために、本発明の一態様に係る番組表生成装置は、番組の一覧を示す番組表を生成し、生成した上記番組表を表示部に表示する番組表生成装置であって、同一の時間帯に複数のチャンネルで放送される同一の番組である特定番組を識別する識別手段と、上記番組表において、上記特定番組に関する情報の表示形態を、その他の番組に関する情報の表示形態とは異ならせる表示形態制御手段と、を備えている。
【発明の効果】
【００１７】
本発明の一態様によれば、番組表において、同一の時間帯に複数のチャンネルで放送される同一の番組の表示形態がそれ以外の番組の表示形態から区別されるという効果を奏する。
【図面の簡単な説明】
【００１８】
【図１】本発明の実施形態１に係る番組表示装置の構成を示すブロック図である。
【図２】実施形態１に係る番組表示装置が備えた次番組表出力ユニットによって生成された次番組表を示す図である。
【図３】実施形態１に係る番組表示装置が備えた表示画像処理部が表示する表示画像の一例を示す図であり、番組映像および次番組表を含む表示画像を示す図である。
【図４】実施形態１に係る番組表示装置が備えた記憶部に記憶されたチャンネル番号選択用テーブルの一例を示す図である。
【図５】実施形態１に係る番組表示装置が備えた次番組表生成部が、イベント共有番組アイコン内に記載するチャンネル番号をどのように切り替えるかを説明する図であり、イベント共有番組アイコン内に記載されるチャンネル番号のローテーションを示す図である。
【図６】実施形態１に係る番組表示装置が備えた次番組表生成部が実行する次番組表生成方法の流れを示すフローチャートである。
【図７】実施形態１に係る番組表示装置が備えた次番組表生成部が次番組表を生成する流れを説明する図である。
【図８】（ａ）（ｂ）は、実施形態１の変形例に係る次番組表生成部が生成する次番組表を示す図である。
【図９】（ａ）（ｂ）は、実施形態１の変形例に係るイベント共有番組アイコン内に記載されるチャンネル番号のローテーションを示す図である。
【図１０】実施形態２に係る番組表示装置が備えた次番組表生成部が実行する特定イベント共有番組抽出方法の流れを示すフローチャートである。
【図１１】実施形態２の変形例に係る次番組表生成部が生成する次番組表を示す図である。
【図１２】実施形態２の他の変形例に係る次番組表生成部が生成するダイアログを示す図である。
【図１３】実施形態３に係る番組表示装置３の構成を示すブロック図である。
【図１４】実施形態３に係る番組表示装置が備えた次番組表生成部が生成する次番組表を示す図である。
【図１５】（ａ）〜（ｃ）は、実施形態３に係る番組表示装置が備えた次番組表生成部が生成する次番組表を示す他の図であり、イベント共有番組タブを配置された番組欄が拡大した状態にある次番組表を示す図である。
【図１６】実施形態３に係る番組表示装置が備えた記憶部に記憶されているタブ配置要否判定用テーブルの一例を示す図である。
【図１７】実施形態４に係る番組表示装置が備えた次番組表生成部が生成する次番組表を示す図であり、イベント共有番組タブを押下されることによって、イベント共有番組タブを配置された番組欄がグレーアウトした状態にある次番組表を示す図である。
【図１８】実施形態５に係る番組表示装置が備えた次番組表生成部が生成する現在／次番組表を示す図である。
【図１９】実施形態５に係る番組表示装置が備えた次番組表生成部が生成する現在／次番組表を示す他の図であり、イベント共有番組タブを押下されることによって、次番組の番組欄の部分がグレーアウトした現在／次番組表を示す図である。
【図２０】各放送局の各チャンネルで放送される番組の放送スケジュールが記載された２次元番組表を示す図である。
【図２１】（ａ）（ｂ）は、従来の次番組表の例を示す図である。
【発明を実施するための形態】
【００１９】
〔実施形態１〕
以下、本発明の実施の形態について、図１〜図８を用いて、詳細に説明する。
【００２０】
（番組表示装置１の構成）
図１を用いて、本実施形態に係る番組表示装置１の構成を説明する。図１は、番組表示装置１の構成を示すブロック図である。図１に示すように、番組表示装置１は、チューナ部１０、制御部２０、記憶部３０、および表示部４０を備えている。
【００２１】
チューナ部１０は、受信アンテナ１５を用いて、ＴＶ番組（以下では、番組と略称する）の放送波を受信し、受信した放送波を、トランスポートストリーム（ＴＳ；Transport Stream）に変換する。
【００２２】
チューナ部１０が変換したＴＳには、番組の映像信号および音声信号の他に、番組案内情報（例えば、ＥＩＴ（Event Information Table））も含まれている。番組案内情報には、番組名情報、番組のＩＤ（イベントＩＤ）、番組が放送されるチャンネルのＩＤ（サービスＩＤ）、番組の放送時間帯情報、イベントグループ記述子（後述）、および番組の詳細情報等が含まれる。チューナ部１０は、変換したＴＳを制御部２０に送信する。
【００２３】
制御部２０は、分離部２１０、番組映像生成部２２０、次番組表出力ユニット２３０（番組表生成装置）、および表示画像処理部２４０を備えている。
【００２４】
分離部２１０は、チューナ部１０から受信したＴＳに含まれる映像信号を音声信号から分離して、分離した映像信号を番組映像生成部２２０に出力する。また、分離部２１０は、ＴＳに含まれる番組案内情報を、電子番組案内データＤ１として、記憶部３０に記憶させる。
【００２５】
番組映像生成部２２０は、分離部２１０から入力された映像信号をデコードすることによって、番組映像データを生成する。そして、生成した番組映像データを表示画像処理部２４０に出力する。
【００２６】
次番組表出力ユニット２３０は、各チャンネルで現在放送されている番組の次に放送される番組（以下では、次番組と呼ぶ）が記載された次番組表Ｔ１（図２参照）を生成する。このとき、次番組表出力ユニット２３０は、記憶部３０に記憶されている電子番組案内データＤ１、チャンネル番号選択用テーブルＤ２、およびアイコンデータＤ３を参照する。そして、次番組表出力ユニット２３０は、生成した次番組表Ｔ１を、表示画像処理部２４０に出力する。なお、次番組表出力ユニット２３０の詳細については後述する。また、電子番組案内データＤ１、チャンネル番号選択用テーブルＤ２、およびアイコンデータＤ３の各詳細についても、次番組表出力ユニット２３０の詳細とともに説明する。
【００２７】
図２は、次番組表出力ユニット２３０によって生成された次番組表Ｔ１を示す図である。ここで、現在の時刻が１４：３０であり、かつ、番組の放送スケジュールが２次元番組表Ｍ（図２０参照）に示すように決定されていると仮定する。図２に示すように、次番組表Ｔ１には、次番組が放送されるチャンネルを特定する番号（以下では、チャンネル番号と呼ぶ）、次番組を特定する番号、および、次番組の放送時間帯が記載されている。
【００２８】
図２０に示す２次元番組表Ｍから分かるように、番組０１１２１、０２１２１、０３１２１等は、同じ放送局に割り当てられた２つ以上のチャンネルのイベント（番組）が共有されることによって放送される次番組である。以下では、このような次番組をイベント共有番組（特定番組）と呼ぶ。
【００２９】
図２に示す次番組表Ｔ１では、イベント共有番組である次番組の番組欄に、アイコンＡ１が表示されている。また、イベント共有番組ではない次番組の番組欄に、アイコンＡ２が表示されている。図２に示すように、アイコンＡ１は、矩形の紙またはパネルが、複数枚、互いに少しずれて重なったような形状（換言すれば、短冊を重ね合わせた形状）を有している。一方、アイコンＡ２は、１枚の矩形の紙またはパネルのような形状を有している。
【００３０】
ユーザは、次番組表Ｔ１に表示されたアイコンＡ１を見ることによって、どの次番組がイベント共有番組であるのかを理解することができる。以下では、イベント共有番組の番組欄に表示されるアイコンＡ１を、イベント共有番組アイコンＡ１と呼ぶ。また、イベント共有番組ではない次番組の番組欄に表示されるアイコンＡ２を、非イベント共有番組アイコンＡ２と呼ぶ。
【００３１】
図２に示すように、次番組表Ｔ１は、２次元番組表Ｍとは異なり、番組欄が一列に配置されている。そのため、次番組表Ｔ１は、２次元番組表Ｍと比較して、小さな表示領域に表示することができるといったメリットや、データ量が小さいというメリットを有する。
【００３２】
表示画像処理部２４０は、画像処理によって、番組映像生成部２２０から入力された番組映像データ、および、次番組表出力ユニット２３０から入力された次番組表Ｔ１から、番組映像Ｐおよび次番組表Ｔ１が含まれる表示画像Ｄ（図３参照）を生成する。そして、表示画像処理部２４０は、生成した表示画像Ｄを表示部４０に表示する。
【００３３】
図３は、表示画像処理部２４０が表示する表示画像の一例を示す図であり、番組映像Ｐおよび次番組表Ｔ１を含む表示画像Ｄを示す図である。図３に示す表示画像Ｄでは、画像領域Ｄｘ１に番組映像Ｐが位置しており、残りの画像領域Ｄｘ２に次番組表Ｔ１が位置している。図３から分かるように、次番組表Ｔ１は、小さな画像領域Ｄｘ２に表示される場合であっても、ユーザに分かり易く、次番組に関する情報を提示することができる。
【００３４】
（次番組表出力ユニット２３０の詳細）
図１を用いて、前述した次番組表出力ユニット２３０の詳細を説明する。図１に示すように、次番組表出力ユニット２３０は、次番組分析部２３１（識別手段）、チャンネル番号選択部２３２、および次番組表生成部２３３（表示形態制御手段）を含んでいる。
【００３５】
次番組分析部２３１は、記憶部３０に記憶された電子番組案内データＤ１に含まれるイベントグループ記述子を用いて、各チャンネルの次番組がイベント共有番組であるか否かを分析する。また、次番組分析部２３１は、イベント共有番組に相当する、複数のチャンネルのそれぞれに設定されている番組の中から、他のチャンネルで放送される番組として参照されている被参照番組を特定する。
【００３６】
ここで、イベントグループ記述子には、そのイベントグループ記述子を付加された番組が、どのチャンネルで放送されるどの番組と同じ番組であるかを示す情報が記載されている。イベントグループ記述子によって、互いに同じ番組であると特定された番組のグループを、以下ではイベント共有グループと呼ぶ。イベント共有グループは、互いに異なるチャンネルで放送される同じイベント共有番組で構成されている。
【００３７】
イベント共有番組のイベント共有グループは、１つの「親」（被参照番組）および１つ以上の「子」（「子１」「子２」・・・）で構成される。イベント共有グループが、１つの「親」および１つ以上の「子」で構成される場合、「親」のイベントグループ記述子には、「親」「子」が放送される各チャンネルのサービスＩＤが記載されている。一方、「子」のイベントグループ記述子には、「親」が放送されるチャンネルのサービスＩＤのみが記載されている。以下では、「親」が放送されるチャンネルを「親」チャンネルと呼び、「子」（「子１」「子２」）が放送されるチャンネルを「子」チャンネル（「子１」チャンネル、「子２」チャンネル）と呼ぶ場合がある。なお、イベント共有番組でない番組は、「親」番組でも「子」番組でもない１つの独立した番組である。
【００３８】
次番組分析部２３１は、次番組に付加されたイベントグループ記述子を参照する。そして、その次番組が、１つの「親」および１つ以上の「子」で構成されるイベント共有グループに含まれる場合、その番組がイベント共有番組であると判定する。次番組分析部２３１は、各チャンネルの次番組がイベント共有番組であるか否かを分析した分析結果を、チャンネル番号選択部２３２および次番組表生成部２３３に出力する。
【００３９】
チャンネル番号選択部２３２は、イベント共有番組であると次番組分析部２３１に判定された次番組の各々について、その次番組が構成するイベント共有グループに含まれる番組のチャンネル番号の中から、いずれか１つのチャンネル番号を選択する。このとき、チャンネル番号選択部２３２は、チャンネル番号選択用テーブルＤ２を参照する。また、チャンネル番号選択部２３２は、次番組分析部２３１によって特定された被参照番組に、チャンネル番号を対応づける。
【００４０】
チャンネル番号選択用テーブルＤ２では、イベント共有番組のイベント共有グループに含まれる番組のうち、どの番組が次番組であり、どの番組が次番組でないかによって、イベント共有番組アイコンＡ１内に記載されるチャンネル番号が場合分けされている。
【００４１】
図４は、チャンネル番号選択用テーブルＤ２の一例を示す図である。図４に示すチャンネル番号選択用テーブルＤ２によれば、「親」が次番組である場合、チャンネル番号選択部２３２は、「子１」「子２」が次番組であるか否かに関わらず、「親」チャンネルのチャンネル番号を選択する。
【００４２】
また、「親」「子１」「子２」のうち、いずれか１つが次番組である場合、チャンネル番号選択部２３２は、上記いずれか１つ（すなわち「親」または「子１」または「子２」）が放送されるチャンネルのャンネル番号を選択する。
【００４３】
また、「子１」「子２」が次番組であり、かつ、「親」が次番組ではない場合、チャンネル番号選択部２３２は、「子１」が放送されるチャンネルのチャンネル番号、および、「子２」チャンネルのチャンネル番号のうち、値が小さい方のチャンネル番号を選択する。
【００４４】
なお、ここでは、イベント共有番組のイベント共有グループが３つの番組（「親」「子１」「子２」）で構成される場合に、チャンネル番号選択部２３２がチャンネル番号を選択する方法を説明した。しかし、イベント共有番組のイベント共有グループが２つの番組で構成される場合であっても、４つ以上の番組で構成される場合であっても、チャンネル番号選択部２３２がチャンネル番号を選択する方法は、上述した方法と同様である。
【００４５】
チャンネル番号選択部２３２は、以上のようにして、イベント共有グループに含まれる番組が放送されるチャンネルのチャンネル番号の中から、いずれか１つのチャンネル番号を選択し、選択したチャンネル番号を、次番組表生成部２３３に通知する。
【００４６】
次番組表生成部２３３は、記憶部３０に記憶された電子番組案内データＤ１を用いて、次番組表Ｔ１を生成する。このとき、次番組表生成部２３３は、次番組分析部２３１による分析結果を用いて、イベント共有番組の番組欄に、イベント共有番組アイコンＡ１を配置するとともに、イベント共有番組ではない次番組の番組欄に、非イベント共有番組アイコンＡ２を配置する。また、次番組表生成部２３３は、チャンネル番号選択部２３２によって選択されたチャンネル番号を、イベント共有番組アイコンＡ１内に記載する。そして、生成した次番組表Ｔ１を、表示画像処理部２４０に出力する。
【００４７】
（チャンネル番号のローテーション）
ユーザが、次番組表Ｔ１を操作して、イベント共有番組が放送されるチャンネルを選局（または、録画予約または視聴予約）した場合、ユーザに選局されたチャンネルが「親」チャンネルであるか「子」チャンネルであるかに関わらず、番組表示装置１は一般的に「親」チャンネルを選局する。ここで、次番組表Ｔ１に「子」チャンネルのみが含まれる場合もある。この場合、ユーザは、次番組表Ｔ１を見ても、イベント共有番組が放送される「親」チャンネルを知ることはできない。そのため、ユーザが、あるイベント共有番組を視聴するために、「子」チャンネルを選局（または、視聴予約または録画予約）したにもかかわらず、番組表生成装置が「親」チャンネルを選局した場合、視聴したいイベント共有番組ではない番組が放送されるチャンネルが選局されたと、ユーザに誤解される可能性がある。
【００４８】
そのため、ユーザに選局されたチャンネルが「子」チャンネルであった場合、何らかの方法で、「親」チャンネルを識別するための識別情報（例えば、チャンネル番号、リモコン番号、サービス名（放送局名）等）をユーザに通知することが望ましい。
【００４９】
そこで、次番組表生成部２３３は、イベント共有番組の番組欄に配置されたイベント共有番組アイコンＡ１内に記載するチャンネル番号を、そのイベント共有番組が放送される全てのチャンネルのチャンネル番号の間でローテーションする。すなわち、次番組表生成部２３３は、イベント共有番組アイコンＡ１内に記載するチャンネル番号を、イベント共有番組が放送される全てのチャンネルのチャンネル番号の間で、順番に切り替える。
【００５０】
図５は、次番組表生成部２３３が、イベント共有番組アイコンＡ１内に記載するチャンネル番号をどのように切り替えるかを説明する図であり、イベント共有番組アイコンＡ１内に記載されるチャンネル番号のローテーションを示す図である。
【００５１】
図５に示すように、最初、イベント共有番組アイコンＡ１内には、チャンネル番号選択部２３２によって選択されたチャンネル番号が記載されている。図５に示すように、次番組表生成部２３３は、イベント共有グループに含まれる番組が放送されるチャンネルのチャンネル番号を、１つずつ交替で、記イベント共有番組アイコンＡ１内に記載してもよい。または、次番組表生成部２３３は、チャンネル番号選択部２３２によって選択された番号と、「親」の番号とを交替で、イベント共有番組アイコンＡ１内に記載してもよい。これらの構成では、次番組表生成部２３３は、イベント共有番組アイコンＡ１内に記載するチャンネル番号を、一定時間ごとに切り替える。
【００５２】
あるいは、次番組表生成部２３３は、イベント共有番組アイコンＡ１が押下されたとき、そのイベント共有番組アイコンＡ１内に記載するチャンネル番号を切り替えてもよい。なお、ローテーションの最後のチャンネル番号がイベント共有番組アイコンＡ１内に表示されてから、ローテーションの最初のチャンネル番号が表示されるまでの時間は、ローテーションの最後以外のチャンネル番号が表示されてから、その次のチャンネル番号が表示されるまでの時間よりも長くてもよい。
【００５３】
上記構成によれば、ユーザは、イベント共有番組の番組欄に配置されたイベント共有番組アイコンＡ１内に表示されるチャンネル番号を見ることによって、そのイベント共有番組のイベント共有グループに含まれる番組が放送される全てのチャンネルのチャンネル番号を知ることができる。
【００５４】
また、次番組表生成部２３３は、「親」チャンネルのチャンネル番号を、「子」チャンネルのチャンネル番号から区別可能なように、例えば、図２および図５に示すように、太字で記載する。そのため、ユーザは、イベント共有番組の「親」チャンネルのチャンネル番号がどれであるのかを理解しやすい。
【００５５】
なお、イベント共有番組の番組欄に配置されたイベント共有番組アイコンＡ１を選択する操作が行われたとき、次番組表生成部２３３は、上述したローテーションを開始してもよい。
【００５６】
また、イベント共有番組アイコンＡ１が（ポインタ等で）フォーカスされたとき、次番組表生成部２３３は、上述したローテーションを開始してもよい。この構成では、イベント共有番組アイコンＡ１がフォーカスアウトしたとき、次番組表生成部２３３は、チャンネル番号のローテーションを停止する。
【００５７】
また、次番組表Ｔ１に対する操作が所定時間行われなかったとき、次番組表生成部２３３は、上述したローテーションを開始してもよい。
【００５８】
（次番組表生成方法の流れ）
図６〜図７を用いて、次番組表生成部２３３が次番組表Ｔ１を生成する次番組表生成方法の流れを説明する。図６は、次番組表生成方法の流れを示すフローチャートである。また、図７は、次番組表生成部２３３が次番組表Ｔ１を生成するために作成するリストＴ０を示す図であり、次番組表生成方法において、次番組表生成部２３３がリストＴ０を処理する流れを説明する図である。なお、図６において、変数ｋは、リストＴ０に記載されたいずれか１つの次番組を特定する変数である。
【００５９】
図６に示すように、まず、次番組表生成部２３３は、現在の時刻と、記憶部３０に記憶されている電子番組案内データＤ１に含まれる番組の放送時間帯情報とを用いて、各放送局の各チャンネルで放送される次番組が記載されたリストＴ０を作成する（Ｓ１）。また、変数ｋに１が代入される（Ｓ２）。図７に示すように、リストＴ０には、各放送局の各チャンネルの次番組が全て記載されている。
【００６０】
次に、次番組表生成部２３３は、リストＴ０に記載されたＫ個（Ｋは自然数）の次番組のうちｋ番目の次番組Ｆｋがイベント共有番組であるか否かの分析結果を、次番組分析部２３１から取得する。そして、取得した次番組Ｆｋがイベント共有番組であるか否かを判定する（Ｓ３）。
【００６１】
次番組Ｆｋがイベント共有番組でない場合（Ｓ３でＮＯ）、次番組表生成部２３３は、次番組表Ｔ１における次番組Ｆｋの番組欄に、非イベント共有番組アイコンＡ２を配置する（Ｓ５）。その後、次番組表生成方法の処理フローは、後述するＳ６に進む。
【００６２】
一方、次番組Ｆｋがイベント共有番組である場合（Ｓ３でＹＥＳ）、次番組表生成部２３３は、リストＴ０内に、次番組Ｆｋのイベント共有グループを構成する番組が複数含まれるか否かを判定する（Ｓ４１）。例えば、図７に示すリストＴ０では、番組０３１２１のイベント共有グループ（０３１〜０３３チャンネルで放送される番組０３１２１）を構成する番組が複数含まれる。一方、番組０１１２１のイベント共有グループ（０１１〜０１３チャンネルで放送される番組０１１２１）を構成する番組は複数含まれない。
【００６３】
リストＴ０内に、次番組Ｆｋのイベント共有グループを構成する番組が複数含まれない場合（Ｓ４１でＮＯ）、次番組表生成方法の処理フローは、後述するＳ４３に進む。
【００６４】
一方、リストＴ０内に、次番組Ｆｋのイベント共有グループを構成する番組が複数含まれる場合（Ｓ４１でＹＥＳ）、次番組表生成部２３３は、次番組Ｆｋの番組欄を１つにまとめる（Ｓ４２）。図７に示すように、リストＴ０では、番組０３１２１のイベント共有グループを構成する番組が複数含まれる。そのため、番組０３１２１の番組欄は１つにまとめられる。
【００６５】
Ｓ４２の後、または、Ｓ４１でＮＯの場合、次番組表生成部２３３は、次番組Ｆｋの番組欄に、イベント共有番組アイコンＡ１を配置する（Ｓ４３）。
【００６６】
Ｓ４３の後、または、Ｓ５の後、次番組表生成部２３３は、イベント共有番組アイコンＡ１および非イベント共有番組アイコンＡ２内に、それぞれ、チャンネル番号を記載する（Ｓ６）。このとき、次番組表生成部２３３は、イベント共有番組の番組欄に配置されたイベント共有番組アイコンＡ１内には、（そのイベント共有番組が放送される全チャンネルのチャンネル番号のうち）チャンネル番号選択部２３２によって選択されたチャンネル番号を記載する。また、イベント共有番組でない次番組の番組欄に配置された非イベント共有番組アイコンＡ２内には、その次番組が放送されるチャンネルのチャンネル番号を記載する。
【００６７】
その後、変数ｋに１が加えられる（Ｓ７）。そして、変数ｋが、リストＴ０に記載された次番組の総数Ｋ以下である場合（Ｓ８でＹＥＳ）、次番組表生成方法の処理フローはＳ３に戻る。また、変数ｋが、リストＴ０に記載された次番組の総数Ｋを超えた場合（Ｓ８でＮＯ）、次番組表生成方法の処理フローは終了する。
【００６８】
次番組表生成部２３３は、このようにして処理したリストＴ０を、次番組表Ｔ１として、表示画像処理部２４０に出力する。
【００６９】
（変形例）
本発明において、イベント共有番組アイコンおよび非イベント共有番組アイコンは、図２に示すイベント共有番組アイコンＡ１および非イベント共有番組アイコンＡ２には特に限定されない。
【００７０】
図８の（ａ）（ｂ）は、本実施形態の変形例に係るイベント共有番組アイコンＡ１Ａ、Ａ１Ｂが配置された次番組表Ｔ１を示す図である。
【００７１】
図８の（ａ）に示す次番組表Ｔ１では、イベント共有番組アイコンＡ１Ａと非イベント共有番組アイコンＡ２Ａとは、付加された旗の数で区別される。イベント共有番組アイコンＡ１Ａには、３本の旗が付加されており、非イベント共有番組アイコンＡ２Ａには、１本の旗が付加されている。図８の（ａ）に示す次番組表Ｔ１において、ある次番組の番組欄に配置された旗の数は、その次番組が放送されるチャンネルの数を表す。例えば、０１１〜０１３チャンネルで放送される番組０１１２１の番組欄には、３本の旗で構成されたイベント共有番組アイコンＡ１Ａが配置されている。また、０４１、０４２チャンネルで放送される番組０４１２１の番組欄には、２本の旗で構成されたイベント共有番組アイコンＡ１Ａが配置されている。
【００７２】
図８の（ｂ）に示す次番組表Ｔ１では、イベント共有番組アイコンＡ１Ｂと非イベント共有番組アイコンＡ２Ｂとは、そのアイコンが塗りつぶされているか否かで区別される。イベント共有番組アイコンＡ１Ｂは任意の色で塗りつぶされている一方、非イベント共有番組アイコンＡ２Ｂは塗りつぶされていない。図８の（ｂ）に示す次番組表Ｔ１において、ある次番組の番組欄に配置されたイベント共有番組アイコンＡ１Ｂの色は、その次番組が放送されるチャンネルの数によって異なる。例えば、０４１〜０４３チャンネルで放送される番組０４１２１の番組欄に配置されたイベント共有番組アイコンＡ１Ａの色と、０４１、０４２チャンネルで放送される番組０４１１６の番組欄に配置されたイベント共有番組アイコンＡ１Ａの色は互いに異なる。一方、０１１〜０１３チャンネルで放送される番組０１１２１の番組欄に配置されたイベント共有番組アイコンＡ１Ａの色と、０２１〜０２３チャンネルで放送される番組０２１２１の番組欄に配置されたイベント共有番組アイコンＡ１Ａの色は同じである。
【００７３】
（チャンネル番号のローテーション）
次番組表生成部２３３は、イベント共有番組の番組欄に配置されたイベント共有番組アイコンＡ１Ａ、Ａ１Ｂ内に記載するチャンネル番号を、そのイベント共有番組が放送される全てのチャンネルのチャンネル番号の間でローテーションする。すなわち、次番組表生成部２３３は、イベント共有番組アイコンＡ１Ａ、Ａ１Ｂ内に記載するチャンネル番号を、イベント共有番組が放送されるチャンネルのうち、少なくとも「親」チャンネルを含むチャンネル（全てのチャンネル、または、「親」チャンネルを含む一部のチャンネル）のチャンネル番号の間で、順番に切り替える。
【００７４】
図９の（ａ）（ｂ）は、次番組表生成部２３３が、イベント共有番組アイコンＡ１Ａ、Ａ１Ｂ内に記載するチャンネル番号をどのように切り替えるかを説明する図であり、イベント共有番組アイコンＡ１Ａ、Ａ１Ｂ内に記載されるチャンネル番号のローテーションを示す図である。
【００７５】
図９の（ａ）（ｂ）に示すように、最初、イベント共有番組アイコンＡ１Ａ、Ａ１Ｂ内には、チャンネル番号選択部２３２によって選択されたチャンネル番号が記載されている。図９の（ａ）に示すように、次番組表生成部２３３は、イベント共有番組が放送される全てまたは一部のチャンネルのチャンネル番号を、１つずつ交替で、イベント共有番組アイコンＡ１Ａ、Ａ１Ｂ内に記載してもよい。または、図９の（ｂ）に示すように、次番組表生成部２３３は、チャンネル番号選択部２３２によって選択された番号と、「親」の番号とを交替で、イベント共有番組アイコンＡ１Ａ、Ａ１Ｂ内に記載してもよい。これらの構成では、次番組表生成部２３３は、イベント共有番組アイコンＡ１Ａ、Ａ１Ｂ内に記載するチャンネル番号を、一定時間ごとに切り替える。
【００７６】
あるいは、次番組表生成部２３３は、イベント共有番組アイコンＡ１Ａ、Ａ１Ｂが押下されたとき、そのイベント共有番組アイコンＡ１Ａ、Ａ１Ｂ内に記載するチャンネル番号を切り替えてもよい。なお、ローテーションの最後のチャンネル番号がイベント共有番組アイコンＡ１Ａ、Ａ１Ｂ内に表示されてから、ローテーションの最初のチャンネル番号が表示されるまでの時間は、ローテーションの最後以外のチャンネル番号が表示されてから、その次のチャンネル番号が表示されるまでの時間よりも長くてもよい。
【００７７】
上記構成によれば、ユーザは、イベント共有番組の番組欄に配置されたイベント共有番組アイコンＡ１Ａ、Ａ１Ｂ内に表示されるチャンネル番号を見ることによって、そのイベント共有番組のイベント共有グループに含まれる番組が放送されるチャンネルのうち、少なくとも「親」チャンネルを含むチャンネルのチャンネル番号を知ることができる。
【００７８】
また、次番組表生成部２３３は、「親」チャンネルのチャンネル番号を、「子」チャンネルのチャンネル番号から区別可能なように、例えば、図９の（ａ）（ｂ）に示すように、太字で記載する。そのため、ユーザは、イベント共有番組の「親」チャンネルのチャンネル番号がどれであるのかを理解しやすい。
【００７９】
〔実施形態２〕
本発明の他の実施形態について、図１０〜図１２に基づいて説明すれば、以下のとおりである。なお、説明の便宜上、前記実施形態にて説明した部材と同じ機能を有する部材については、同じ符号を付記し、その説明を省略する。
【００８０】
前記実施形態１では、次番組表Ｔ１に含まれる全てのイベント共有番組の番組欄に、イベント共有番組アイコンＡ１が配置され、イベント共有番組アイコンＡ１内に表示されるチャンネル番号がローテーションする構成を説明した。しかしながら、ローテーションが開始される前に、イベント共有番組アイコンＡ１内に「親」チャンネルのチャンネル番号が記載されている場合がある。この場合、イベント共有番組アイコンＡ１内に表示されたチャンネル番号がローテーションされずとも、ユーザは、「親」チャンネルのチャンネル番号を知ることができる。
【００８１】
従って、ローテーションが開始される前に、「親」チャンネルのチャンネル番号が、イベント共有番組アイコンＡ１内に記載されている場合、そのチャンネル番号は切り替えられる必要はない。ここで、図４に示すチャンネル番号選択用テーブルＤ２を見れば分かるように、「親」が次番組である場合、「子」が次番組であるか否かに関わらず、ローテーションが開始される前に、「親」チャンネルのチャンネル番号がイベント共有番組アイコンＡ１内に記載されている。
【００８２】
そこで、本実施形態では、“「子」（の少なくとも１つ）が次番組であるが、「親」が次番組ではない”という条件αを満たすイベント共有番組の番組欄にのみ、イベント共有番組アイコンＡ１内に表示されるチャンネル番号がローテーションする構成を説明する。上記条件αを満たすイベント共有番組を、以下では、特定イベント共有番組と呼ぶ。
【００８３】
例えば、図２に示す次番組表Ｔ１において、番組０２１２１の「子１」（０２２チャンネルで放送される番組０２１２１）は次番組であるが、「親」（０２１チャンネルで放送される番組０２１２１）は次番組ではないので、番組０２１２１は特定イベント共有番組である。
【００８４】
本実施形態に係る番組表示装置２は、前記実施形態１の番組表示装置１（図１参照）と同じ構成を備える。ただし、本実施形態では、次番組表生成部２３３が、次番組表Ｔ１に含まれるイベント共有番組の中から、特定イベント共有番組を抽出する。そして、抽出した特定イベント共有番組の番組欄に配置したイベント共有番組アイコンＡ１に記載されているチャンネル番号のみを、（前記実施形態１で説明したように）ローテーションする。
【００８５】
次番組表生成部２３３は、上記条件αを満たさないイベント共有番組の番組欄にも、イベント共有番組アイコンＡ１と同じアイコンを配置するが、そのアイコン内に表示されたチャンネル番号をローテーションさせない。あるいは、次番組表生成部２３３は、上記条件αを満たさないイベント共有番組の番組欄に、イベント共有番組アイコンＡ１とも非イベント共有番組アイコンＡ２とも異なるアイコンを配置してもよい。
【００８６】
なお、上記条件αを満たさないイベント共有番組の番組欄に配置されるアイコンが、イベント共有番組アイコンＡ１と同じアイコンであった場合、次番組表Ｔ１において、イベント共有番組の番組欄に配置されるアイコンが統一されるので、次番組表Ｔ１の見た目の統一感（バランス）が向上する。
【００８７】
（特定イベント共有番組抽出方法）
図１０を用いて、本実施形態に係る次番組表生成部２３３が、次番組表Ｔ１に含まれるイベント共有番組の中から、特定イベント共有番組を抽出する特定イベント共有番組抽出方法の流れを説明する。図１０は、特定イベント共有番組抽出方法の流れを示すフローチャートである。図１０において、変数ｋは、図５に示すリストＴ０に記載されたいずれか１つの次番組を特定する変数である。
【００８８】
図１０に示すように、次番組表生成部２３３は、まず、現在の時刻と、記憶部３０に記憶されている電子番組案内データＤ１に含まれる番組の放送時間帯情報とを用いて、次番組のリストＴ０を作成する（Ｓ１０）。また、変数ｋに１が代入される（Ｓ２０）。
【００８９】
次に、次番組表生成部２３３は、リストＴ０に記載されたＫ個（Ｋは自然数）の次番組のうちのｋ番目の次番組Ｆｋがイベント共有番組であるか否かの分析結果を、次番組分析部２３１から取得する（Ｓ３０）。
【００９０】
次番組Ｆｋがイベント共有番組でない場合（Ｓ３０でＮＯ）、特定イベント共有番組抽出方法の処理フローは、後述するＳ７０に進む。一方、次番組Ｆｋがイベント共有番組である場合（Ｓ３０でＹＥＳ）、次番組表生成部２３３は、リストＴ０内に、次番組Ｆｋのイベント共有グループを構成する番組が複数含まれるか否かを判定する（Ｓ４０）。
【００９１】
リストＴ０内に、次番組Ｆｋのイベント共有グループを構成する番組が複数含まれない場合（Ｓ４０でＮＯ）、特定イベント共有番組抽出方法の処理フローは、後述するＳ７０に進む。一方、リストＴ０内に、次番組Ｆｋのイベント共有グループを構成する番組が複数含まれる場合（Ｓ４０でＹＥＳ）、次番組表生成部２３３は、次番組Ｆｋは「子」であるか否かを判定する（Ｓ５０）。
【００９２】
次番組Ｆｋが「子」でない場合（Ｓ５０でＮＯ）、特定イベント共有番組抽出方法の処理フローは、後述するＳ７０に進む。一方、次番組Ｆｋが「子」である場合（Ｓ５０でＹＥＳ）、次番組表生成部２３３は、次番組Ｆｋに、「特定イベント共有番組」のフラグを立てる（Ｓ６０）。
【００９３】
その後、変数ｋに１が加えられる（Ｓ７０）。そして、変数ｋが、リストＴ０に記載された次番組の総数Ｋ以下である場合（Ｓ８０でＹＥＳ）、特定イベント共有番組抽出方法の処理フローはＳ３０に戻る。また、変数ｋが、リストＴ０に記載された次番組の総数Ｋを超えた場合（Ｓ８０でＮＯ）、特定イベント共有番組抽出方法の処理フローは終了する。
【００９４】
（変形例１）
本実施形態の一変形例では、次番組表生成部２３３は、次番組表Ｔ１において、特定イベント共有番組の番組欄に、「子」チャンネルのチャンネル番号とともに、「親」チャンネルのチャンネル番号を記載してもよい。
【００９５】
図１１は、本変形例に係る次番組表生成部２３３によって生成される次番組表Ｔ１を示す図である。図１１に示すように、次番組表Ｔ１では、特定イベント共有番組である番組０２１２１の番組欄に配置されたイベント共有番組アイコンＡ１´内に、（チャンネル番号選択部２３２によって選択された）「子」チャンネルのチャンネル番号「０２２ｃｈ」とともに、「親」チャンネルのチャンネル番号「０２１ｃｈ」も記載されている。なお、番組０２１２１のイベント共有グループに含まれる他の「子」番組が放送されるチャンネルのチャンネル番号は、イベント共有番組アイコンＡ１´内に記載されてもよいし、記載されなくてもよい。
【００９６】
上記の構成によれば、イベント共有番組アイコンＡ１´内に表示されたチャンネル番号がローテーションせずとも、ユーザは、「親」チャンネルのチャンネル番号を知ることができる。
【００９７】
（変形例２）
本実施形態の他の変形例では、特定イベント共有番組の番組欄に対する所定の操作が行われたとき、次番組表生成部２３３は、その特定イベント共有番組の「親」が放送されるチャンネルを示す情報を含むダイアログを生成してもよい。
【００９８】
図１２は、特定イベント共有番組の「親」が放送されるチャンネルを示す情報を含むダイアログＤｉｇを示す図である。図１２に示すように、ダイアログＤｉｇには、特定イベント共有番組である番組０２１２１が放送される「親」チャンネルのチャンネル番号「０２１ｃｈ」が記載されている。
【００９９】
本変形例では、次番組表生成部２２３は、生成したダイアログＤｉｇを表示部４０に表示するよう、表示画像処理部２４０に指示する。このとき、次番組表生成部２２３は、表示画像Ｄを消去して、ダイアログＤｉｇを表示するように、表示画像処理部２４０に指示してもよい。あるいは、表示画像Ｄに重ねてダイアログＤｉｇを表示するように、表示画像処理部２４０に指示してもよい。上記のいずれの構成でも、ユーザが、表示を元に戻す操作を行ったとき、次番組表生成部２２３は、ダイアログＤｉｇを消去して、表示画像Ｄを表示するように、表示画像処理部２４０に指示する。
【０１００】
上記の構成によれば、ユーザは、表示部４０に表示されたダイアログＤｉｇを確認することによって、番組０２１２１が放送される「親」チャンネルのチャンネル番号を知ることができる。
【０１０１】
〔実施形態３〕
本発明の他の実施形態について、図１３〜図１６に基づいて説明すれば、以下のとおりである。なお、説明の便宜上、前記実施形態にて説明した部材と同じ機能を有する部材については、同じ符号を付記し、その説明を省略する。
【０１０２】
本実施形態では、イベント共有番組の番組欄に、前記実施形態１〜２で説明したイベント共有番組アイコンの代わりに、イベント共有番組タブが配置される構成を説明する。
【０１０３】
（番組表示装置３の構成）
図１３は、本実施形態に係る番組表示装置３の構成を示すブロック図である。図１３に示すように、番組表示装置３の次番組表出力ユニット２３０は、チャンネル番号選択部２３２の代わりに、タブ配置番組欄選択部３３２を備えている。また、番組表示装置３の記憶部３０には、電子番組案内データＤ１の他に、タブ配置要否判定用テーブルＤ４（図１４参照）と、タブデータＤ５とが記憶されている。タブデータＤ５は、イベント共有番組タブＦａ〜Ｆｃ（図１５の（ａ）〜（ｃ）参照）の形状等を示す情報を含んでいる。
【０１０４】
本実施形態では、次番組表生成部２３３は、次番組表Ｔ１の表示形態を、イベント共有番組のイベント共有グループを構成する番組が放送される複数のチャンネルのうち、一部のチャンネルのチャンネル番号を示す第１の表示形態と、上記複数のチャンネルの全ての茶案ネル番号を示す第２の表示形態との間で切り替える。
【０１０５】
図１４は、イベント共有番組の番組欄にイベント共有番組タブＦａ〜Ｆｃが配置された次番組表Ｔ１（第１の表示形態）を示す図である。図１４に示すように、イベント共有番組である番組０１１２１、０２１２１、０４１２１の番組欄には、イベント共有番組タブＦａ〜Ｆｃが配置されている。
【０１０６】
図１４に示すように、イベント共有番組タブＦａは、上の矢印の形状を有している。一方、イベント共有番組タブＦｂは、上下方向の矢印の形状を有している。また、イベント共有番組タブＦｃは、上方向の矢印の形状を有している。イベント共有番組の番組欄に配置されたイベント共有番組タブＦａ〜Ｆｃが押下（またはフォーカス）されたとき、次番組表生成部２３３は、上記番組欄を、矢印が示す方向に引き伸ばすように拡大させる。
【０１０７】
図１５の（ａ）〜（ｃ）は、イベント共有番組タブＦａ〜Ｆｃを配置された番組欄が拡大した次番組表Ｔ１（第２の表示形態）を示す図である。図１５の（ａ）〜（ｃ）において、イベント共有番組である番組０１１２１、０２１２１、０４１２１の拡大した番組欄は、そのイベント共有番組が放送される他のチャンネルが記載された番組欄の領域のうち、チャンネル番号が記載された領域以外を覆っている。そのため、図１５の（ａ）〜（ｃ）に示す次番組表Ｔ１を見たユーザは、イベント共有番組である番組０１１２１、０２１２１、０４１２１がどのチャンネルで放送されるのかを理解することができる。
【０１０８】
また、イベント共有番組の番組欄に配置されたイベント共有番組タブＦａ〜Ｆｃを選択する操作が行われたとき、次番組表生成部２３３は、そのイベント共有番組の「親」チャンネルのチャンネル番号を、「子」チャンネルのチャンネル番号から区別可能なように、例えば、図１４および図１５の（ａ）〜（ｃ）に示すように、太字で記載する。
【０１０９】
なお、次番組表生成部２３３は、「親」チャンネルのチャンネル番号を、太字で記載する以外の方法で強調してもよい。上記の構成では、ユーザは、イベント共有番組の「親」チャンネルのチャンネル番号がどれであるのかを理解しやすい。
【０１１０】
また、イベント共有番組タブＦａ〜Ｆｃが（ポインタ等で）フォーカスされることによって、上記番組欄が拡大される構成では、イベント共有番組タブＦａ〜Ｆｃがフォーカスアウトしたとき、次番組表生成部２３３は、上記番組欄の大きさを元に戻す。
【０１１１】
また、次番組表生成部２３３は、所定時間ごとに、「親」チャンネルのチャンネル番号の記載を強調してもよい。
【０１１２】
（変形例）
本実施形態の一変形例に係る次番組表生成部２３３は、タブ配置要否判定用テーブルＤ４を参照することによって、次番組表Ｔ１に含まれる各イベント共有番組について、そのイベント共有番組の番組欄に、イベント共有番組タブＦａ〜Ｆｃを配置するか否かを決定してもよい。タブ配置要否判定用テーブルＤ４では、イベント共有番組のイベント共有グループに含まれる番組のうち、どの番組が次番組であり、どの番組が次番組でないかによって、イベント共有番組の番組欄にイベント共有番組タブＦａ〜Ｆｃが配置されるか否かが場合分けされている。
【０１１３】
図１６は、タブ配置要否判定用テーブルＤ４の一例を示す図である。図１６に示すタブ配置要否判定用テーブルＤ４によれば、イベント共有番組の「親」（番組）が次番組である場合、次番組表生成部２３３は、「子１」「子２」（番組）が次番組であるか否かに関わらず、そのイベント共有番組の番組欄にはイベント共有番組タブＦａ〜Ｆｃを配置しない。
【０１１４】
また、イベント共有番組の「子１」および「子２」のうち少なくとも一方が次番組であり、かつ、「親」が次番組ではない場合、次番組表生成部２３３は、そのイベント共有番組の番組欄に、イベント共有番組タブＦａ〜Ｆｃを配置する。
【０１１５】
なお、ここでは、イベント共有番組のイベント共有グループが３つの番組（「親」「子１」「子２」）で構成される場合に、次番組表生成部２３３がイベント共有番組の番組欄にイベント共有番組タブＦａ〜Ｆｃを配置するか否かを決定する方法を説明した。しかしながら、イベント共有番組のイベント共有グループが２つの番組で構成される場合であっても、４つ以上の番組で構成される場合であっても、イベント共有番組の番組欄にイベント共有番組タブＦａ〜Ｆｃを配置するか否かを決定する方法は、上述した方法と同様である。
【０１１６】
〔実施形態４〕
本発明の他の実施形態について、図１７に基づいて説明すれば、以下のとおりである。なお、説明の便宜上、前記実施形態にて説明した部材と同じ機能を有する部材については、同じ符号を付記し、その説明を省略する。
【０１１７】
前記実施形態３では、イベント共有番組の番組欄に配置されたイベント共有番組タブＦａ〜Ｆｃが押下されたとき、その番組欄が拡大する構成を説明した。しかしながら、番組欄がどのように変化するかについては、特に限定されない。
【０１１８】
本実施形態に係る番組表示装置４は、前記実施形態３の番組表示装置３（図１３参照）と同じ構成を備える。ただし、本実施形態では、次番組表生成部２３３は、イベント共有番組の番組欄に配置されたイベント共有番組タブＦａ〜Ｆｃが押下（またはフォーカス）されたとき、そのイベント共有番組が放送される他のチャンネルが記載された番組欄をグレーアウトする。ここで、イベント共有番組タブＦａ〜Ｆｃが押下される前、次番組表Ｔ１は、図１４に示す状態にある。なお、番組０２１２１（０４１２１）の番組欄に配置されたイベント共有番組タブＦｂ（Ｆｃ）が押下された場合、０２１、０２３（０４１）チャンネルが記載された番組欄がグレーアウトされることによって、他の番組欄から区別される。なお、０２１、０２３（０４１）チャンネルが記載された番組欄は、グレーアウ以外の手段で、他の番組欄から区別されてもよい。
【０１１９】
図１７は、番組０１１２１の番組欄に配置されたイベント共有番組タブＦａを押下されることによって、（番組０１１２１が放送されるチャンネルである）０１２、０１３チャンネルが記載された番組欄がグレーアウトした次番組表Ｔ１を示す図である。図１７に示すように、グレーアウトした番組欄には、０１２、０１３チャンネルにおいて、現在放送されている番組から数えて何番目の番組として、番組０１１２１が放送されるかを示すメッセージが表示されている。
【０１２０】
図１７に示す次番組表Ｔ１を見たユーザは、イベント共有番組である番組０１１２１が、０１１〜０１３チャンネルで放送されることを理解することができる。さらに、０１２、０１３チャンネルにおいて、現在放送されている番組から数えて何番目の番組として、番組０１１２１が放送されるかを理解することもできる。換言すれば、ユーザは、０１１チャンネルで放送される番組と、０１２、０１３チャンネルで放送される番組とが、いつ統合されるのかを知ることができる。
【０１２１】
また、イベント共有番組の番組欄に配置されたイベント共有番組タブＦａ〜Ｆｃを選択する操作が行われたとき、次番組表生成部２３３は、そのイベント共有番組の「親」チャンネルのチャンネル番号を、「子」チャンネルのチャンネル番号から区別可能なように、例えば、図１７に示すように、太字で記載する。
【０１２２】
なお、次番組表生成部２３３は、「親」チャンネルのチャンネル番号を、太字で記載する以外の方法で強調してもよい。上記の構成では、ユーザは、イベント共有番組の「親」チャンネルのチャンネル番号がどれであるのかを理解しやすい。
【０１２３】
また、イベント共有番組タブＦａ〜Ｆｃが（ポインタ等で）フォーカスされることによって、上記番組欄が拡大される構成では、イベント共有番組タブＦａ〜Ｆｃがフォーカスアウトしたとき、次番組表生成部２３３は、上記番組欄の大きさを元に戻す。
【０１２４】
また、次番組表生成部２３３は、所定時間ごとに、「親」チャンネルのチャンネル番号を強調してもよい。
【０１２５】
〔実施形態５〕
本発明の他の実施形態について、図１８〜図１９に基づいて説明すれば、以下のとおりである。なお、説明の便宜上、前記実施形態にて説明した部材と同じ機能を有する部材については、同じ符号を付記し、その説明を省略する。
【０１２６】
前記実施形態１〜４では、各放送局の各チャンネルで次に放送される次番組が記載された次番組表Ｔ１に本発明が適用される例を説明した。しかしながら、本発明は、次番組表を含んだ番組表であれば、どのような番組表にも適用することができる。
【０１２７】
本実施形態では、各放送局の各チャンネルで次に放送される次番組に加えて、各放送局の各チャンネルで現在放送されている番組（以下では、現在番組と呼ぶ）も記載された現在／次番組表Ｔ５（図１８参照）に本発明が適用される例を説明する。
【０１２８】
図１８は、現在／次番組表Ｔ５を示す図である。図１８に示すように、現在／次番組表Ｔ５には、各チャンネルの現在番組および次番組に関する情報が記載されている。なお、図１８では、０４１〜０４３チャンネルの現在番組および次番組に関する情報が記載された番組欄を省略している。現在／次番組表Ｔ５を見たユーザは、現在番組と、その番組の次に放送される次番組とを、同時に知ることができる。
【０１２９】
現在／次番組表Ｔ５において、イベント共有番組であり、かつ、次番組でもある番組０１１２１、０２１２１の番組欄には、イベント共有番組タブＦａ、Ｆｂが配置されている。前記実施形態４で説明したように、番組０１１２１、０２１２１の番組欄に配置されたイベント共有番組タブＦａ、Ｆｂが押下（またはフォーカス）されたとき、次番組表生成部２３３は、番組０１１２１、０２１２１が放送される他のチャンネルが記載された番組欄をグレーアウトする。
【０１３０】
図１９は、番組０１１２１の番組欄に配置されたイベント共有番組タブＦａを押下されることによって、（番組０１１２１が放送されるチャンネルである）０１２、０１３チャンネルの現在番組および次番組が記載された番組欄のうち、次番組の番組欄の部分がグレーアウトした現在／次番組表Ｔ５を示す図である。図１９に示すように、グレーアウトした番組欄には、０１２、０１３チャンネルにおいて、現在放送されている番組から数えて何番目の番組として、番組０１１２１が放送されるかを示すメッセージが表示されている。
【０１３１】
図１９に示す現在／次番組表Ｔ５を見たユーザは、イベント共有番組である番組０１１２１が、０１１〜０１３チャンネルで放送されることを理解することができる。さらに、０１２、０１３チャンネルにおいて、現在放送されている番組から数えて何番目の番組として、番組０１１２１が放送されるかを理解することもできる。
【０１３２】
また、イベント共有番組の番組欄に配置されたイベント共有番組タブＦａ〜Ｆｃを選択する操作が行われたとき、次番組表生成部２３３は、そのイベント共有番組の「親」チャンネルのチャンネル番号を、「子」チャンネルのチャンネル番号から区別可能なように、例えば、図１８および図１９に示すように、太字で記載する。
【０１３３】
なお、次番組表生成部２３３は、「親」チャンネルのチャンネル番号を、太字で記載する以外の方法で強調してもよい。上記の構成では、ユーザは、イベント共有番組の「親」チャンネルのチャンネル番号がどれであるのかを理解しやすい。
【０１３４】
また、イベント共有番組タブＦａ、Ｆｂが（ポインタ等で）フォーカスされることによって、上記番組欄が拡大される構成では、イベント共有番組タブＦａ、Ｆｂがフォーカスアウトしたとき、次番組表生成部２３３は、上記番組欄の大きさを元に戻す。
【０１３５】
また、次番組表生成部２３３は、所定時間ごとに、「親」チャンネルのチャンネル番号を強調してもよい。
【０１３６】
〔ソフトウェアによる実現例〕
番組表示装置１の制御ブロック（特に、次番組表出力ユニット２３０の各部）は、集積回路（ＩＣチップ）等に形成された論理回路（ハードウェア）によって実現してもよいし、ＣＰＵ（Central Processing Unit）を用いてソフトウェアによって実現してもよい。
【０１３７】
後者の場合、番組表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３８】
〔まとめ〕
本発明の態様１に係る番組表示装置（次番組表出力ユニット２３０）は、番組の一覧を示す番組表を生成し、生成した上記番組表を表示部（４０）に表示する番組表生成装置であって、同一の時間帯に複数のチャンネルで放送される同一の番組である特定番組を識別する識別手段（次番組分析部２３１）と、上記番組表において、上記特定番組に関する情報の表示形態を、その他の番組に関する情報の表示形態とは異ならせる表示形態制御手段（次番組表生成部２３３）と、を備えている。
【０１３９】
上記の構成によれば、番組表において、特定番組とそれ以外の番組表とが区別可能な表示形態で表示される。そのため、番組表を見たユーザは、どの番組が特定番組であるのかを知ることができる。なお、特定番組は、複数チャンネルで構成されるので高画質である。どの番組が特定番組であるのかを理解したユーザは、（録画データの量を抑制するために）特定番組の録画画質を、その他の番組の録画画質よりも低くするなどの対応をすることができる。
【０１４０】
本発明の態様２に係る番組表示装置は、上記態様１において、上記表示形態制御手段は、上記複数のチャンネルの各々を識別するための識別情報を、少なくとも１つ、上記番組表に記載してもよい。
【０１４１】
上記の構成によれば、ユーザは、特定番組が放送されるチャンネルを知ることができる。識別情報は、例えば、チャンネル番号、リモコン番号、サービス名（放送局名）であってよい。特定番組が放送されるチャンネルの識別情報として、チャンネル番号を知ったユーザは、例えば、そのチャンネル番号を選局することによって、特定番組を視聴することができる。
【０１４２】
本発明の態様３に係る番組表示装置は、上記態様２において、上記識別手段は、上記特定番組に相当する、上記複数のチャンネルのそれぞれに設定されている番組の中から、他のチャンネルで放送される番組として参照されている被参照番組を特定し、上記表示形態制御手段は、上記被参照番組に、上記識別情報を対応づけてもよい。
【０１４３】
上記の構成によれば、番組表を見たユーザは、被参照番組が放送されるチャンネルに関する情報を得ることができる。ここで、被参照番組は、他のイベント（番組）に付加されたイベント記述子によって参照される番組であってよい。
【０１４４】
このように、番組表を見たユーザは、被参照番組が放送されるチャンネルを知ることができる。そのため、ユーザは、番組表から（あるいは、別の手段を用いて）、被参照番組のチャンネルを選局（又は視聴予約／録画予約）することができる。
【０１４５】
本発明の態様４に係る番組表示装置は、上記態様３において、上記特定番組を放送するチャンネルとして、上記複数のチャンネルのうちの一部の上記識別情報を示す第１の表示形態と、上記複数のチャンネルの他の一部または全ての上記識別情報を示す第２の表示形態との間で切り替えてもよい。
【０１４６】
上記の構成によれば、番組表が第１の表示形態であるとき、その番組表には、複数のチャンネルのうち一部の識別情報のみが示されている。そのため、識別情報が番組表内で占める領域が狭くなるので、番組表が小さい場合であっても、その番組表に識別情報を記載することができる。また、番組表が第２の表示形態であるとき、その番組表には、他の一部の識別情報または全ての識別情報が示されている。そのため、番組表を見たユーザは、特定番組が放送されるチャンネルのうちの一部または全てのチャンネルに関する情報を、番組表から得ることができる。
【０１４７】
本発明の態様５に係る番組表示装置は、上記態様４において、上記表示形態制御手段は、所定の操作が行われたとき、上記番組表の表示形態を、上記第１の表示形態と、上記第２の表示形態との間で切り替えてもよい。
【０１４８】
上記の構成によれば、ユーザは、所定の操作を行うことによって、所望する表示形態の番組表を見ることができる。
【０１４９】
本発明の態様６に係る番組表示装置は、上記態様１〜５のいずれかにおいて、上記表示形態制御手段は、上記複数のチャンネルの各々において、現在放送されている番組から数えて何番目に上記特定番組が放送されるかを示す情報を、上記番組表に記載してもよい。
【０１５０】
上記の構成によれば、特定番組が放送される各チャンネルにおいて、現在放送されている番組から数えて何番目に、上記特定番組が放送されるのかを、ユーザは知ることができる。
【０１５１】
本発明の態様７に係る番組表示装置は、上記態様２において、上記表示形態制御手段は、上記複数のチャンネルの各々を識別するための上記識別情報を、順番に、上記番組表に表示してもよい。
【０１５２】
上記の構成によれば、ユーザは、番組表に順番に表示される識別情報を確認することによって、特定番組が放送される各チャンネルを識別するための各識別情報を得ることができる。
【０１５３】
本発明の各態様に係る番組表示装置は、コンピュータによって実現してもよく、この場合には、コンピュータを上記番組表示装置が備える各手段として動作させることにより上記番組表示装置をコンピュータにて実現させる番組表示装置の制御プログラム、およびそれを記録したコンピュータ読み取り可能な記録媒体も、本発明の範疇に入る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５５】
本発明は、番組表生成装置に利用することができる。
【符号の説明】
【０１５６】
４０    表示部
２３０  次番組表出力ユニット（番組表生成装置）
２３１  次番組分析部（識別手段）
２３３  次番組表生成部（表示形態制御手段）
【図１】
0006309393.tif 000002
【図２】
0006309393.tif 000003
【図３】
0006309393.tif 000004
【図４】
0006309393.tif 000005
【図５】
0006309393.tif 000006
【図６】
0006309393.tif 000007
【図７】
0006309393.tif 000008
【図８】
0006309393.tif 000009
【図９】
0006309393.tif 000010
【図１０】
0006309393.tif 000011
【図１１】
0006309393.tif 000012
【図１２】
0006309393.tif 000013
【図１３】
0006309393.tif 000014
【図１４】
0006309393.tif 000015
【図１５】
0006309393.tif 000016
【図１６】
0006309393.tif 000017
【図１７】
0006309393.tif 000018
【図１８】
0006309393.tif 000019
【図１９】
0006309393.tif 000020
【図２０】
0006309393.tif 000021
【図２１】
0006309393.tif 000022